(57)【要約】【課題】利便性を向上させることができるキャッシュレスシステムを提供することを目的とする。【解決手段】飲食店に来訪した一のグループを構成する複数のユーザが所有する複数のユーザ端末の各々のユーザ端末からの接続要求を受け付ける受付手段と、受付手段が受け付けた接続要求から、各々のユーザ端末を一意に特定して識別する識別手段と、各々のユーザ端末からなされた注文を受け付ける受注手段と、受注手段が注文を受け付けた商品の代金を、各々のユーザ端末に対して課金する方法と、複数のユーザ端末に対して課金する方法と、を有する複数の選択肢の中から選択された課金方法にて課金する課金手段と、を含むキャッシュレスシステム。【選択図】図３
2019175186.tif 000002
【特許請求の範囲】
【請求項１】
飲食店に来訪した一のグループを構成する複数のユーザが所有する複数のユーザ端末の各々のユーザ端末からの接続要求を受け付ける受付手段と、
前記受付手段が受け付けた接続要求から、前記各々のユーザ端末を一意に特定して識別する識別手段と、
前記各々のユーザ端末からなされた注文を受け付ける受注手段と、
前記受注手段が注文を受け付けた商品の代金を、前記各々のユーザ端末に対して課金する方法と、前記複数のユーザ端末に対して課金する方法と、を有する複数の選択肢の中から選択された課金方法にて課金する課金手段と、
を含むキャッシュレスシステム。
【請求項２】
前記課金手段は、前記複数のユーザに対して課金する方法が選択された場合には、前記複数のユーザ端末から注文された商品の合計金額を、当該複数のユーザの同等割にして課金する
請求項１に記載のキャッシュレスシステム。
【請求項３】
前記課金手段は、前記一のグループからの注文が全て完了した後に前記複数の選択肢の中から課金方法を選択可能にする
請求項２に記載のキャッシュレスシステム。
【請求項４】
前記課金手段は、各々のユーザに対して課金する方法が選択された場合には、当該各々のユーザが有する前記各々のユーザ端末から注文された商品の代金を、当該ユーザ端末を有するユーザに対して課金する
請求項１に記載のキャッシュレスシステム。
【請求項５】
前記課金手段は、前記一のグループからの注文が全て完了した後に課金する方法と、前記各々のユーザ端末から注文がなされる度に課金する方法と、を有する複数の選択肢の中から選択された課金方法にて課金する
請求項４に記載のキャッシュレスシステム。
【請求項６】
前記識別手段は、前記飲食店にて予め付与されている同一のコード情報を介して前記受付手段が前記複数のユーザ端末からの接続要求を受け付けた場合には、当該複数のユーザ端末を有する前記複数のユーザを前記一のグループとして識別する
請求項１に記載のキャッシュレスシステム。
【請求項７】
前記コード情報は、前記飲食店のテーブル毎、又は、部屋毎に付与されている
請求項６に記載のキャッシュレスシステム。
【発明の詳細な説明】
【技術分野】
【０００１】
本発明は、キャッシュレスシステムに関する。
【背景技術】
【０００２】
近年、飲食テーブルに居ながら飲食後の会計業務の実行を可能にする装置が提案されている。
特許文献１に記載された注文入力装置は、注文に係る注文情報の入力を受け付けて管理装置で管理する注文入力装置において、電子決済に対応した媒体との間での近距離における無線通信を確立する近距離無線通信部と、会計情報呼出手段と、決済宣言手段と、決済手段と、更新手段と、を備える。前記会計情報呼出手段は、所望の前記注文情報にかかる会計情報を前記管理装置から呼び出す。前記決済宣言手段は、前記会計情報についての決済を宣言する。前記決済手段は、前記決済宣言手段によって決済が宣言された前記会計情報に対する決済処理を、前記近距離無線通信部によって通信が確立している前記媒体との間における電子決済によって実行する。前記更新手段は、前記決済手段による決済にかかる情報を前記管理装置に通知して前記会計情報を精算済みに更新させる。
【先行技術文献】
【特許文献】
【０００３】
【特許文献１】特開２０１４−１５７５５２号公報
【発明の概要】
【発明が解決しようとする課題】
【０００４】
飲食店にて複数人で飲食した後に、複数人で飲食した複数の商品の合計金額を複数人で分割して支払う場合がある。また、複数の商品の合計金額全てを複数人の中の１人が支払う場合がある。それゆえ、電子決済を利用可能にするにあたって、多種多様な支払い方法を可能にすると利便性が向上する。
本発明は、利便性を向上させることができるキャッシュレスシステムを提供することを目的とする。
【課題を解決するための手段】
【０００５】
かかる目的のもと完成させた本発明は、飲食店に来訪した一のグループを構成する複数のユーザが所有する複数のユーザ端末の各々のユーザ端末からの接続要求を受け付ける受付手段と、前記受付手段が受け付けた接続要求から、前記各々のユーザ端末を一意に特定して識別する識別手段と、前記各々のユーザ端末からなされた注文を受け付ける受注手段と、前記受注手段が注文を受け付けた商品の代金を、前記各々のユーザ端末に対して課金する方法と、前記複数のユーザ端末に対して課金する方法と、を有する複数の選択肢の中から選択された課金方法にて課金する課金手段と、を含むキャッシュレスシステムである。
ここで、前記課金手段は、前記複数のユーザに対して課金する方法が選択された場合には、前記複数のユーザ端末から注文された商品の合計金額を、当該複数のユーザの同等割にして課金しても良い。
また、前記課金手段は、前記一のグループからの注文が全て完了した後に前記複数の選択肢の中から課金方法を選択可能にしても良い。
また、前記課金手段は、各々のユーザに対して課金する方法が選択された場合には、当該各々のユーザが有する前記各々のユーザ端末から注文された商品の代金を、当該ユーザ端末を有するユーザに対して課金しても良い。
また、前記課金手段は、前記一のグループからの注文が全て完了した後に課金する方法と、前記各々のユーザ端末から注文がなされる度に課金する方法と、を有する複数の選択肢の中から選択された課金方法にて課金しても良い。
また、前記識別手段は、前記飲食店にて予め付与されている同一のコード情報を介して前記受付手段が前記複数のユーザ端末からの接続要求を受け付けた場合には、当該複数のユーザ端末を有する前記複数のユーザを前記一のグループとして識別しても良い。
また、前記コード情報は、前記飲食店のテーブル毎、又は、部屋毎に付与されていても良い。
【発明の効果】
【０００６】
本発明によれば、利便性を向上させることができるキャッシュレスシステムを提供することができる。
【図面の簡単な説明】
【０００７】
【図１】実施の形態に係るキャッシュレスシステムの概略構成を例示した図である。
【図２】ユーザ端末の概略構成を例示した図である。
【図３】サーバの機能構成を例示したブロック図である。
【図４】ユーザ端末に表示されるアクセス画面の一例を示す図である。
【図５】ユーザ端末に表示されるメニュー画面の一例を示す図である。
【図６】記憶部が記憶する情報の一例を示す図である。
【図７】ユーザ端末に表示される会計画面の一例を示す図である。
【図８】ユーザ端末に表示されるまとめ会計画面の一例を示す図である。
【図９】ユーザ端末に表示されるまとめ会計時の支払い画面の一例を示す図である。
【図１０】ユーザ端末に表示される端末毎会計時の支払い画面の一例を示す図である。
【図１１】ユーザ端末に表示される同等割会計時の支払い画面の一例を示す図である。
【図１２】ユーザ端末に表示される特殊割会計画面の一例を示す図である。
【図１３】ユーザ端末に表示される特殊割会計時の支払い画面の一例を示す図である。
【図１４】店舗端末の機能構成を例示したブロック図である。
【図１５−１】本実施の形態に係るキャッシュレスシステムにおける動作例を示したシーケンス図である。
【図１５−２】本実施の形態に係るキャッシュレスシステムにおける動作例を示したシーケンス図である。
【発明を実施するための形態】
【０００８】
以下、添付図面を参照して、実施の形態について詳細に説明する。
図１は、本実施の形態に係るキャッシュレスシステム１の概略構成を例示した図である。
キャッシュレスシステム１は、ユーザが所有するユーザ端末１０と、飲食店等の店舗にて提供可能なメニューの管理等を行うサーバ２０と、店舗が所有する店舗端末３０と、周知のプリンタ４０とを備えている。
【０００９】
ユーザ端末１０、サーバ２０及び店舗端末３０は、装置間を通信可能に接続するネットワーク５０に接続されており、ネットワーク５０を介して互いに通信を行うことが可能となっている。ネットワーク５０は、各システム及び装置の間のデータ通信に用いられる通信ネットワークであれば特に限定されず、例えばＬＡＮ（Local Area Network）、ＷＡＮ（Wide Area Network）、インターネットであることを例示することができる。データ通信に用いられる通信回線は、有線か無線かを問わず、これらを併用しても良い。また、ゲートウェイ装置やルータ等の中継装置を用い、複数のネットワークや通信回線を介して各装置を接続するように構成しても良い。店舗端末３０とプリンタ４０とは、ＬＡＮ、bluetooth（登録商標）や赤外線通信等の無線通信又は有線通信にて、互いに通信可能となっている。また、店舗端末３０とプリンタ４０とは、ＷＡＮ、インターネットにて、互いに通信可能であっても良い。
【００１０】
＜ユーザ端末１０＞
図２は、ユーザ端末１０の概略構成を例示した図である。
ユーザ端末１０は、装置全体を制御する制御部１１と、データ等の記憶に用いられる記憶部１２と、操作受付画面や画像の表示に使用される表示部１３と、ユーザの入力操作を受け付ける操作部１４と、外部装置との通信に用いられる通信部１５とを備えている。また、ユーザ端末１０は、カメラ１６と、スピーカ１７と、マイク１８とを備えている。
【００１１】
制御部１１は、ＣＰＵ（Central Processing Unit）１１ａ、ＲＯＭ（Read Only Memory）１１ｂ、ＲＡＭ（Random Access Memory）１１ｃにより構成される。ＲＯＭ１１ｂには、ＣＰＵ１１ａにより実行される基本プログラム（オペレーションシステム）や各種の設定等が記憶されている。ＣＰＵ１１ａは、ＲＡＭ１１ｃを作業エリアに使用し、ＲＯＭ１１ｂや記憶部１２から読み出したアプリケーションプログラムを実行する。ＣＰＵ１１ａがプログラムを実行することにより、ユーザ端末１０の各部が制御される。
【００１２】
記憶部１２は、半導体メモリなどの記憶装置であることを例示することができる。
表示部１３は、静止画像や動画像等を表示するディスプレイ装置である。表示部１３は、液晶ディスプレイや有機ＥＬ（Electro Luminescence）ディスプレイであることを例示することができる。
操作部１４は、ユーザからの操作を受け付ける入力装置である。操作部１４は、ボタン、スイッチ、タッチパネルであることを例示することができる。
通信部１５は、通信インターフェースであることを例示することができる。
カメラ１６は、静止画又は動画を撮像することができるデジタルカメラであることを例示することができる。
スピーカ１７は、制御部１１からの電気的な音信号を音に変換して出力する装置であることを例示することができる。
マイク１８は、ユーザ端末１０の外部から入力される音を電気的な音信号に変換して制御部１１に出力する装置であることを例示することができる。
【００１３】
以上のように構成されたユーザ端末１０は、多機能携帯電話（所謂「スマートフォン」）、携帯電話（所謂「フィーチャーフォン」）、携帯情報端末（ＰＤＡ）、タブレット端末、タブレットＰＣ、ノートＰＣ等であることを例示することができる。
【００１４】
ユーザ端末１０は、カメラ１６にて、ＱＲコード（登録商標）等のコード情報を読み取ることができる機能を備えている。
また、ユーザ端末１０は、商品又はサービスの対価としてお金を支払う場合に、電子データをやり取りすることで支払いを行う電子決済機能を備えている。電子決済としては、クレジットカード情報を予め登録しておくと、暗証番号の入力等の認証手続きをすることなく、決済可能な、アップルペイ（登録商標）やグーグルウォレット（登録商標）等の電子決済サービス（電子支払いシステム）を利用するものであることを例示することができる（ただし、例えばアップルペイ（登録商標）のように、指紋認証や顔認証は必要であっても良い）。また、電子決済としては、クレジットカード決済サービスや、商品代金を携帯電話の利用料金とまとめて支払うキャリア決済サービスを利用するものであることを例示することができる。
【００１５】
＜サーバ２０＞
図３は、サーバ２０の機能構成を例示したブロック図である。
サーバ２０は、ユーザ端末１０が備える、制御部１１、記憶部１２、表示部１３、操作部１４、通信部１５と同様に、制御部２１、記憶部２２、表示部（不図示）、操作部（不図示）、通信部（不図示）を備えている。記憶部２２は、ＨＤＤ（Hard Disk Drive）であっても良い。
【００１６】
制御部２１は、ＣＰＵ（不図示）、ＲＯＭ（不図示）、ＲＡＭ（不図示）等を有しており、ＣＰＵがプログラムを実行することにより、以下の機能を実現する。
すなわち、制御部２１は、店舗に来訪した一のグループを構成する複数のユーザ（客）が有する複数のユーザ端末１０の各々のユーザ端末１０からの接続要求を受け付ける受付手段の一例としての受信部２１１を有している。また、制御部２１は、受信部２１１が受け付けた接続要求から、各々のユーザ端末１０を一意に特定して識別する識別手段の一例としての識別部２１２を有している。また、制御部２１は、ユーザ端末１０に対して、商品に関する各種情報を有するウェブページを公開するＨＴＭＬ（HyperText Markup Language）文書を生成する生成部２１３を有している。また、制御部２１は、ユーザ端末１０から、店舗にて提供可能な商品の注文を受け付ける受注部２１４と、ユーザ端末１０からなされた注文に対して料金を課す課金手段の一例としての課金部２１５とを有している。また、制御部２１は、コード情報を作成する作成部２１６と、生成部２１３が生成したＨＴＭＬ文書や作成部２１６が作成したコード情報を送信する送信部２１７とを有している。
【００１７】
（受信部）
受信部２１１は、ネットワーク５０を介して、ユーザ端末１０から送信されてきた情報を受信する。
ここで、受信部２１１がユーザ端末１０から最初に受信する情報について例示する。
図４は、ユーザ端末１０に表示されるアクセス画面６１の一例を示す図である。
図４に示したアクセス画面６１は、予め発行された後述するコード情報をユーザ端末１０のカメラ１６が読み取った後にユーザ端末１０の表示部１３に表示される画面である。図４に示すように、アクセス画面６１には、予め定められたアドレス６１ａが表示される。
ユーザ端末１０を所有するユーザがアドレス６１ａを押下すると、サーバ２０の受信部２１１は、ユーザ端末１０が予め発行しておいたコード情報を読み取った旨の情報と、ユーザ端末１０の情報とを受信する。
【００１８】
（識別部）
識別部２１２は、受信部２１１が受け付けたユーザ端末１０からの情報に基づいて、ユーザ端末１０を一意に特定して識別する。
上述したようにして、ユーザ端末１０から、予め発行された後述するコード情報を読み取った後に表示されるアドレスにアクセスされると、受信部２１１が、このユーザ端末１０から送信された情報を受信し、識別部２１２が、受信部２１１が受信した情報を解析する。識別部２１２は、ユーザ端末１０から送信された情報に基づいて、ユーザ端末１０は、店舗内のどのエリアに付与しておいたコード情報を読み込んだかを把握する。言い換えれば、識別部２１２は、店舗内の所定のエリアにて、ユーザ端末１０を所有するユーザが飲食することを把握する。なお、エリアは、テーブル毎に、又は、部屋毎に区画された領域であることを例示することができる。
【００１９】
識別部２１２は、エリアの識別番号であるエリア番号と、ユーザ端末１０の識別番号であるユーザ番号とを関連付けて記憶部２２に記憶する。識別部２１２は、一のエリアに関連付けられたコード情報を読み取ることで表示されるアドレスにアクセスしてきたユーザ端末１０がＮ番目である場合には、当該ユーザ端末１０のユーザ番号をＮとする。例えば、識別部２１２は、エリア番号が１であるエリアに関連付けられたコード情報を読み取ることで表示されるアドレスにアクセスしてきたユーザ端末１０が１番目である場合には、当該ユーザ端末１０のユーザ番号を１とする。
【００２０】
また、識別部２１２は、同じエリア（同じエリア番号）に関連付けられたコード情報を読み取ることで表示されるアドレスにアクセスしてきたユーザ端末１０が複数ある場合には、これらのユーザ端末１０を、一のグループを構成する複数のユーザが有する複数のユーザ端末１０であると把握する。
このように、エリア番号に基づくことで、一のエリアにて飲食するグループと、他のエリアにて飲食するグループとを区別することが可能となる。また、識別部２１２がユーザ番号を付与することで、同じエリアにて飲食する複数のユーザを区別することが可能となる。
【００２１】
（生成部）
生成部２１３は、ユーザ端末１０からのアクセスに応じて、店舗にて提供されている商品に関する各種情報を有するウェブページを公開するＨＴＭＬ文書を生成する。
例えば、生成部２１３は、受信部２１１がユーザ端末１０から最初のアクセス（コード情報を読み込んだ後に表示されるアドレス６１ａへのアクセス）を受信した場合に、店舗にて提供可能な商品を表示した画面を表示させるためのＨＴＭＬ文書を生成する。
【００２２】
図５は、ユーザ端末１０に表示されるメニュー画面７１の一例を示す図である。
生成部２１３が生成したメニュー画面７１を表示させるためのＨＴＭＬ文書は、送信部２１７を介してユーザ端末１０に送信される。サーバ２０から送信されたＨＴＭＬ文書を受信したユーザ端末１０においては、制御部１１が、表示部１３の表示画面１３ａにＨＴＭＬ文書に基づく、図５に示したメニュー画面７１を表示させる。
メニュー画面７１には、店舗にて提供される商品毎に、商品名７１ａ、商品画像７１ｂ、商品説明７１ｃ及び「注文」と記載された注文ボタン７１ｄ等が表示される。また、メニュー画面７１には、商品一覧とともに、エリア番号と、ユーザ番号とが表示される。また、メニュー画面７１には、「会計」と記載された会計ボタン７１ｅが表示される。
なお、図５に例示したメニュー画面７１においては、揚げ物、焼物等のカテゴリー毎に、そのカテゴリーに含まれる商品が表示される画面となるように構成されているが、全ての商品を一の画面で表示しても良い。また、一の画面にそのカテゴリーに含まれる全ての商品を表示すると見難くなる場合には、複数の画面にて構成しても良い。
生成部２１３は、メニュー画面７１に表示された会計ボタン７１ｅが押下された場合に、後述する会計画面７２（図７参照）を表示させるためのＨＴＭＬ文書を生成する。
【００２３】
（受注部）
図６は、記憶部２２が記憶する情報の一例を示す図である。
受注部２１４は、ユーザ端末１０からの注文を受け付ける。
受注部２１４は、ユーザ端末１０の表示部１３に表示されたメニュー画面７１において、注文ボタン７１ｄが押下された旨の情報を受信部２１１が受信した場合に、ユーザ端末１０から注文があったことを把握する。
受注部２１４は、注文を受けた商品及びその金額と、注文を行ってきたユーザ端末１０のユーザ番号及びエリア番号とを関連付けて記憶部２２に記憶する。
なお、図６に示すように、エリア番号が１であるエリアに関連付けられたコード情報を読み取ることで表示されるアドレスに、１番目にアクセスしてきたユーザ端末１０をユーザ端末１０Ａ、２番目にアクセスしてきたユーザ端末１０をユーザ端末１０Ｂ、３番目にアクセスしてきたユーザ端末１０をユーザ端末１０Ｃと称す。
また、受注部２１４は、注文を受けた商品、注文を行ったユーザ端末１０のユーザ番号及びエリア番号等の情報を、送信部２１７を介して店舗端末３０に送信する。
【００２４】
（課金部）
課金部２１５は、予め定められた複数の課金方法の中から、ユーザ端末１０において選択された会計方法に応じた課金方法にて、ユーザ端末１０に課金する。また、課金部２１５は、ユーザ端末１０を用いて支払うべき金額を、送信部２１７を介して、当該ユーザ端末１０に対して送信する。
【００２５】
複数の課金方法の中には、一のエリアで飲食された全商品（全ユーザ端末１０を介して注文された商品の全て）の合計金額を、一のユーザ端末１０に対して課金するまとめ課金方法がある。
また、複数の課金方法の中には、ユーザ端末１０を介して注文された商品のみの合計金額を、当該ユーザ端末１０に対して課金する端末毎課金方法がある。
また、複数の課金方法の中には、一のエリアで飲食された全商品（全ユーザ端末１０を介して注文された商品の全て）の合計金額を、当該一のエリアに関連付けて記憶されているユーザ端末１０の数にて同等割した金額を、各ユーザ端末１０に対して課金する同等割課金方法がある。
また、複数の課金方法の中には、一のエリアで飲食された全商品（全ユーザ端末１０を介して注文された商品の全て）の合計金額を、ユーザが入力した割合で分割した金額を、各ユーザ端末１０に対して課金する特殊割課金方法がある。
【００２６】
言い換えれば、ユーザ端末１０を有するユーザは、予め定められた複数の会計方法の中から、一の会計方法を選択可能である。複数の会計方法の中には、一のエリアで飲食した全商品（全ユーザ端末１０を介して注文した商品の全て）の合計金額を、一のユーザ端末１０を用いて支払うまとめ会計方法がある。また、複数の会計方法の中には、ユーザ端末１０を介して注文した商品のみの合計金額を、当該ユーザ端末１０を用いて支払う端末毎会計方法がある。ユーザが、まとめ会計方法、端末毎会計方法を選択した場合には、サーバ２０は、それぞれ、まとめ課金方法、端末毎課金方法にて課金する。
【００２７】
また、複数の会計方法の中には、一のエリアで飲食した全商品の合計金額を、当該一のエリアに関連付けて記憶されているユーザ端末１０の数にて同等割した金額を、各ユーザ端末１０を用いて支払う同等割会計方法がある。
また、複数の会計方法の中には、一のエリアで飲食した全商品の合計金額を、ユーザが入力した割合で分割した金額を、各ユーザ端末１０を用いて支払う特殊割会計方法がある。ユーザが、同等割会計方法、特殊割会計方法を選択した場合には、サーバ２０は、それぞれ、同等割課金方法、特殊割課金方法にて課金する。
【００２８】
図７は、ユーザ端末１０に表示される会計画面７２の一例を示す図である。
会計画面７２は、図５に示したメニュー画面７１に表示された会計ボタン７１ｅが押下された場合に表示される。会計画面７２には、「まとめ会計」と記載されたまとめ会計ボタン７２ａと、「端末毎会計」と記載された端末毎会計ボタン７２ｂと、「同等割会計」と記載された同等割会計ボタン７２ｃと、「特殊割会計」と記載された特殊割会計ボタン７２ｄとが表示される。
【００２９】
図８は、ユーザ端末１０に表示されるまとめ会計画面７３の一例を示す図である。
まとめ会計画面７３は、まとめ会計ボタン７２ａが押下された場合に表示される。まとめ会計画面７３には、どのユーザ端末１０を用いて支払うかを選択するためのボタンとして、ユーザ番号が記載されたボタンがユーザ端末１０の数の分だけ表示される。例えば、エリア番号が１であるエリアにて登録されたユーザ端末１０が３個である場合には、図８に示すように、「ユーザ番号：１」、「ユーザ番号：２」、「ユーザ番号：３」と記載された３つのユーザ番号ボタン７３ａが表示される。
【００３０】
図９は、ユーザ端末１０に表示されるまとめ会計時の支払い画面７４の一例を示す図である。
支払い画面７４は、まとめ会計画面７３にていずれかのユーザ番号ボタン７３ａが押下された場合に表示される。
図８に示したまとめ会計画面７３において、例えば「ユーザ番号：２」と記載されたユーザ番号ボタン７３ａが押下された場合には、サーバ２０の課金部２１５は、ユーザ番号が２であるユーザ端末１０を用いてまとめ会計が行われると判断する。そして、課金部２１５は、ユーザ番号が２であるユーザ端末１０に対して、合計金額等の情報を含んだＨＴＭＬ文書を、送信部２１７を介して送信する。その結果、ユーザ端末１０の表示部１３には、図９に示した支払い画面７４が表示される。支払い画面７４には、当該ユーザ端末１０を用いて支払うべき金額（例えば12,000円）が請求金額として表示されるとともに、「確認」と記載された確認ボタン７４ａが表示される。ユーザが、支払い画面７４に表示された確認ボタン７４ａを押下することにより、上述した電子決済サービスを利用して支払いが完了する。つまり、課金部２１５は、確認ボタン７４ａが押下された旨の情報を取得した場合には、ユーザ端末１０において選択された電子決済サービスに応じた所定の決済処理を実行する。そして、課金部２１５は、所定の決済処理を実行した場合には、支払いが完了した旨の通知をユーザ端末１０に対して送信しても良い。なお、ユーザ端末１０が例えばクレジットカード決済サービスやキャリア決済サービスを利用する場合であって、認証手続きが必要なサービスを利用する場合には、課金部２１５は、ユーザ端末１０において所定の認証手続きが行われた後に決済処理を実行する。
【００３１】
図１０は、ユーザ端末１０に表示される端末毎会計時の支払い画面７５の一例を示す図である。図１０（ａ）には、ユーザ端末１０Ａの表示部１３に表示される支払い画面７５を例示し、図１０（ｂ）には、ユーザ端末１０Ｂの表示部１３に表示される支払い画面７５を例示し、図１０（ｃ）には、ユーザ端末１０Ｃの表示部１３に表示される支払い画面７５を例示している。
図７に示した会計画面７２において、端末毎会計ボタン７２ｂが押下された場合には、サーバ２０の課金部２１５は、各ユーザ端末１０を介して注文された商品のみの合計金額等の情報を含んだＨＴＭＬ文書を、送信部２１７を介して送信する。その結果、各ユーザ端末１０の表示部１３には、図１０に例示したように、当該ユーザ端末１０を用いて支払うべき金額（当該ユーザ端末１０を介して注文された商品のみの合計金額（図１０においては、ユーザ端末１０Ａが3,000円、ユーザ端末１０Ｂが4,000円、ユーザ端末１０Ｃが5,000円）が請求金額として表示されるとともに、「確認」と記載された確認ボタン７４ａが表示される。ユーザが、表示部１３に表示された確認ボタン７４ａを押下することにより支払いが完了する。確認ボタン７４ａが押下された後の課金部２１５の処理は、上述した通りである。
【００３２】
図１１は、ユーザ端末１０に表示される同等割会計時の支払い画面７６の一例を示す図である。図１１（ａ）には、ユーザ端末１０Ａの表示部１３に表示される支払い画面７６を例示し、図１１（ｂ）には、ユーザ端末１０Ｂの表示部１３に表示される支払い画面７６を例示し、図１１（ｃ）には、ユーザ端末１０Ｃの表示部１３に表示される支払い画面７６を例示している。
図７に示した会計画面７２において、同等割会計ボタン７２ｃが押下された場合には、サーバ２０の課金部２１５は、一のエリアで飲食された全商品（全ユーザ端末１０を介して注文された商品の全て）の合計金額を、ユーザ端末１０の数にて同等割した金額等の情報を含んだＨＴＭＬ文書を、送信部２１７を介して全ユーザ端末１０に送信する。その結果、各ユーザ端末１０の表示部１３には、図１１に例示したように、当該ユーザ端末１０を用いて支払うべき金額（合計金額を同等割した金額（所謂、割り勘した金額））が請求金額として表示されるとともに、「確認」と記載された確認ボタン７４ａが表示される。ユーザが、表示部１３に表示された確認ボタン７４ａを押下することにより支払いが完了する。確認ボタン７４ａが押下された後の課金部２１５の処理は、上述した通りである。
【００３３】
図１２は、ユーザ端末１０に表示される特殊割会計画面７７の一例を示す図である。
特殊割会計画面７７は、図７に示した会計画面７２にて特殊割会計ボタン７２ｄが押下された場合に表示される。特殊割会計画面７７には、全てのユーザ番号が表示されるとともに、各ユーザ番号の横に、当該ユーザ番号のユーザ端末１０の割合を入力する入力欄７７ａと、当該入力欄７７ａに入力する数字を増加させる増加ボタン７７ｂと、当該入力欄７７ａに入力する数字を減少させる減少ボタン７７ｃとがユーザ端末１０の数の分だけ表示される。また、特殊割会計画面７７には、全ての入力欄７７ａに入力する数字の合計が１０となるように入力することを促すために、「合計が１０となるように入力してください。」と表示される。また、特殊割会計画面７７には、「決定」と記載された決定ボタン７７ｄが表示される。
図１２に示した特殊割会計画面７７は、ユーザ番号１に対する割合を５、ユーザ番号２に対する割合を３、ユーザ番号２に対する割合を２とする場合の入力例である。
【００３４】
図１３は、ユーザ端末１０に表示される特殊割会計時の支払い画面７８の一例を示す図である。
特殊割会計画面７７において、全ユーザ端末１０の割合が入力され、決定ボタン７７ｄが押下された場合には、サーバ２０の課金部２１５は、一のエリアで飲食した全商品（全ユーザ端末１０を介して注文した商品の全て）の合計金額を、ユーザが入力した割合で分割した金額等の情報を含んだＨＴＭＬ文書を、送信部２１７を介して全ユーザ端末１０に送信する。例えば、課金部２１５は、図１２の特殊割会計画面７７に例示したように、ユーザ番号１の割合が５、ユーザ番号２の割合が３、ユーザ番号３の割合が２である場合には、合計金額に５／１０を乗算した金額等の情報を含んだＨＴＭＬ文書を、送信部２１７を介してユーザ番号１のユーザ端末１０Ａに対して送信する。また、課金部２１５は、合計金額に３／１０を乗算した金額等の情報を含んだＨＴＭＬ文書を、ユーザ番号２のユーザ端末１０Ｂに対して送信する。また、課金部２１５は、合計金額に２／１０を乗算した金額等の情報を含んだＨＴＭＬ文書を、ユーザ番号３のユーザ端末１０Ｃに対して送信する。
【００３５】
その結果、各ユーザ端末１０の表示部１３には、図１３に示した支払い画面７８が表示される。支払い画面７８には、各ユーザ端末１０を用いて支払うべき金額が請求金額として表示される（金額は入力された割合に応じた値となる）とともに、「確認」と記載された確認ボタン７４ａが表示される。ユーザが、支払い画面７８に表示された確認ボタン７４ａを押下することにより支払いが完了する。確認ボタン７４ａが押下された後の課金部２１５の処理は、上述した通りである。
【００３６】
（作成部）
作成部２１６は、店舗に予め定められたエリア毎に、当該エリアのエリア番号を含むコード情報を作成する。ユーザ端末１０が、作成部２１６が作成したコード情報を読み取った後に表示されるアドレスにアクセスすることで、識別部２１２はどのエリアに配置されたコード情報を読み込んでアクセスしてきたかを把握することができる。
作成部２１６は、あるエリアにて飲食し終え、支払いが完了したことを把握した後に、当該エリアのコード情報を新たに作成する。支払いが完了したことは、例えば、課金部２１５が決済処理を実行した旨の情報を取得することにより把握することができる。また、作成部２１６は、店舗の従業員の指示に従ってコード情報を作成しても良い。従業員は、あるエリアにて飲食し終えたグループが店舗を出たことを確認した後にコード情報を作成しても良いし、営業が始まる前に当日必要と考えられる数のコード情報を作成しても良い。
作成部２１６は、作成したコード情報を含む情報を、送信部２１７を介して店舗端末３０に送信する。店舗端末３０からの指示に基づいて、プリンタ４０が、例えば用紙にコード情報を含む画像を形成し、出力する（プリントアウトする）。
なお、エリアは、テーブル毎に、又は、部屋毎に区画されていることを例示することができる。ただし、テーブル又は部屋毎にコード情報を含む画像が形成された用紙を配置しておいたとしても、一のグループを構成する人数が、テーブル又は部屋毎に許容される人数を超える場合には、複数のエリアを利用する複数人で一のコード情報を共有させても良い。
【００３７】
（送信部）
送信部２１７は、生成部２１３が生成したＨＴＭＬ文書をユーザ端末１０に送信する。例えば、送信部２１７は、メニュー画面７１を表示させるためのＨＴＭＬ文書をユーザ端末１０に送信する。
また、送信部２１７は、ユーザ端末１０から注文を受けた商品、注文を行ったユーザ端末１０のユーザ番号及びエリア番号等の情報を、店舗端末３０に送信する。
また、送信部２１７は、作成部２１６が作成したコード情報を含む情報を、店舗端末３０に送信する。
【００３８】
＜店舗端末３０＞
図１４は、店舗端末３０の機能構成を例示したブロック図である。
店舗端末３０は、ユーザ端末１０が備える、制御部１１、記憶部１２、表示部１３、操作部１４、通信部１５、スピーカ１７に相当する、制御部３１、記憶部（不図示）、表示部３３、操作部（不図示）、通信部（不図示）、スピーカ３７を備えている。
店舗端末３０は、携帯情報端末（ＰＤＡ）、タブレット端末、タブレットＰＣ、ノートＰＣ、デスクトップＰＣ等であることを例示することができる。
店舗端末３０は、例えば、店舗の厨房に配置されていることを例示することができる。
【００３９】
制御部３１は、ＣＰＵ（不図示）、ＲＯＭ（不図示）、ＲＡＭ（不図示）等を有しており、ＣＰＵがプログラムを実行することにより、以下の機能を実現する。
すなわち、制御部３１は、サーバ２０から、商品の注文を受け付けた旨の情報等を取得する取得部３１１を有している。また、制御部３１は、表示部３３を制御する表示制御部３１２と、スピーカ３７を制御する音響制御部３１３と、プリンタ４０に画像を出力させる出力部３１４とを備えている。
【００４０】
取得部３１１は、サーバ２０から、商品の注文に関する情報である、注文を受けた商品、注文を行ったユーザ端末１０のユーザ番号及びエリア番号等を取得する。
表示制御部３１２は、取得部３１１が取得した注文に関する情報を表示部３３の表示画面に表示させるように表示部３３を制御する。例えば、表示制御部３１２は、注文を受けた商品名や商品番号、当該注文を行ったユーザ番号及びエリア番号を、表示部３３の表示画面に表示させる。
【００４１】
音響制御部３１３は、取得部３１１が取得した注文に関する情報についての音を出力させるようにスピーカ３７を制御する。例えば、音響制御部３１３は、注文を受けた商品名や商品番号、当該注文を行ったユーザ番号及びエリア番号を、スピーカ３７から音声出力させる。
出力部３１４は、取得部３１１が取得した注文に関する情報である、注文を受けた商品名や商品番号、当該注文を行ったユーザ番号及びエリア番号の画像をプリンタ４０に出力させる。また、出力部３１４は、サーバ２０の作成部２１６が作成したコード情報と、当該コード情報に関連付けられているエリア番号の画像をプリンタ４０に出力させる。
【００４２】
商品名、商品番号、ユーザ番号、エリア番号等が、表示部３３の表示画面に表示されることにより、又は、スピーカ３７から音声が出力されることにより、調理人は、商品の注文を受けたことを把握することが可能となり、配膳人は、当該商品を、注文を行ったエリアに届けることが可能となる。また、プリンタ４０により出力された、商品名、商品番号、ユーザ番号、エリア番号等が記載された紙を見ることにより、調理人は、商品の注文を受けたことを把握することが可能となり、配膳人は、当該商品を、注文を行ったエリアに届けることが可能となる。
なお、コード情報等が記載された紙は、店舗の従業員（例えば配膳人）にて、該当するエリアに配置される。
【００４３】
図１５−１及び図１５−２は、本実施の形態に係るキャッシュレスシステム１における動作例を示したシーケンス図である。図１５に示した動作例は、ユーザＡ、ユーザＢ、ユーザＣの３人を含んで一のグループが構成され、ユーザＡが所有するユーザ端末１０Ａ、ユーザＢが所有するユーザ端末１０Ｂ、ユーザＣが所有するユーザ端末１０Ｃにて注文や会計が行われる場合の動作例を示している。
【００４４】
先ず、ユーザＡが、案内されたエリア（エリア番号は１とする）に予め置かれていたコード情報を、自身が所有するユーザ端末１０Ａにて読み取るとともに、読み込んだ後に表示されるアドレスにアクセスする（Ｓ１５０１）。
サーバ２０は、エリア番号とユーザ端末１０Ａとを関連付けて記憶する（Ｓ１５０２）。より具体的には、エリア番号が１であるエリアに配置されていたコード情報を読み取ることで表示されるアドレスに基づいて最初にアクセスしてきたのがユーザ端末１０Ａであることから、ユーザ端末１０Ａの識別番号であるユーザ番号を１として、エリア番号に関連付けて記憶部２２に記憶する。これは、識別部２１２が行う処理である。そして、サーバ２０においては、生成部２１３がメニュー画面を表示させるためのＨＴＭＬ文書を生成して、ユーザ端末１０Ａに送信する（Ｓ１５０３）。ユーザ端末１０Ａは、表示部１３にメニュー画面を表示する（Ｓ１５０４）。
【００４５】
ユーザＢが、案内されたエリア（エリア番号：１）に予め置かれていたコード情報を、自身が所有するユーザ端末１０Ｂにて読み取るとともに、読み込んだ後に表示されるアドレスにアクセスする（Ｓ１５０５）。
サーバ２０は、エリア番号とユーザ端末１０Ｂとを関連付けて記憶する（Ｓ１５０６）。より具体的には、エリア番号が１であるエリアに配置されていたコード情報を読み取ることで表示されるアドレスに基づいて、ユーザ端末１０Ａの次にアクセスしてきたのがユーザ端末１０Ｂであることから、ユーザ端末１０Ｂの識別番号であるユーザ番号を２として、エリア番号に関連付けて記憶部２２に記憶する。そして、サーバ２０は、メニュー画面を表示させるためのＨＴＭＬ文書を生成して、ユーザ端末１０Ｂに送信する（Ｓ１５０７）。ユーザ端末１０Ｂは、表示部１３にメニュー画面を表示する（Ｓ１５０８）。
【００４６】
ユーザＣが、案内されたエリアに予め置かれていたコード情報を、自身が所有するユーザ端末１０Ｃにて読み取るとともに、読み込んだ後に表示されるアドレスにアクセスする（Ｓ１５０９）。
サーバ２０は、エリア番号とユーザ端末１０Ｃとを関連付けて記憶する（Ｓ１５１０）。より具体的には、エリア番号が１であるエリアに配置されていたコード情報を読み取ることで表示されるアドレスに基づいて、ユーザ端末１０Ｂの次にアクセスしてきたのがユーザ端末１０Ｃであることから、ユーザ端末１０Ｃの識別番号であるユーザ番号を３として、エリア番号に関連付けて記憶部２２に記憶する。そして、サーバ２０は、メニュー画面を表示させるためのＨＴＭＬ文書を生成して、ユーザ端末１０Ｃに送信する（Ｓ１５１１）。ユーザ端末１０Ｃは、表示部１３にメニュー画面を表示する（Ｓ１５１２）。
【００４７】
その後、ユーザＡが、ユーザ端末１０Ａの表示部１３に表示されているメニュー画面に表示されている商品群の中から一の商品（例えばビール）を選択して、その商品の注文ボタン７１ｄを押下したとする（Ｓ１５１３）。サーバ２０は、その商品の注文を受け付け、注文を受けた商品と、注文を行ってきたユーザ端末１０のユーザ番号及びエリア番号とを関連付けて記憶部２２に記憶する（Ｓ１５１４）。そして、サーバ２０は、注文を受けた商品、注文を行ったユーザ端末１０のユーザ番号及びエリア番号等の情報を、店舗端末３０に送信する（Ｓ１５１５）。これらは、受注部２１４が行う処理である。
【００４８】
店舗端末３０においては、サーバ２０からの商品の注文に関する情報を取得し、取得した情報である、注文を受けた商品（例えばビール）、注文を行ったユーザ端末１０Ａのユーザ番号（ユーザ番号：１）及びエリア番号（エリア番号：１）を報知する（Ｓ１５１６）。報知手法としては、上述した、表示部３３の表示画面に表示させること、スピーカ３７から音声出力させること、プリンタ４０に出力させることの少なくともいずれかであることを例示することができる。
そして、店舗の従業員（例えば配膳人）が、注文を受けた商品（例えばビール）をユーザＡに届けることで、ユーザＡは、注文した商品を受け取る（Ｓ１５１７）。
上記Ｓ１５１３〜Ｓ１５１７の処理が、ユーザＡ、ユーザＢ、ユーザＣの全てのユーザからの注文が終了するまで注文毎に繰り返される。
【００４９】
一のグループを構成するいずれかのユーザが、ユーザ端末１０（図１５−２においてはユーザ端末１０Ａ）の表示部１３に表示されているメニュー画面７１に表示されている会計ボタン７１ｅを押下したとする（Ｓ１５１８）。サーバ２０においては、生成部２１３が会計画面７２を表示させるためのＨＴＭＬ文書を生成し（Ｓ１５１９）、送信部２１７がＨＴＭＬ文書をユーザ端末１０Ａに送信する（Ｓ１５２０）。ユーザ端末１０Ａは、表示部１３に会計画面７２を表示する（Ｓ１５２１）。
【００５０】
その後、ユーザＡが、ユーザ端末１０Ａの表示部１３に表示されている会計画面７２に表示されている同等割会計ボタン７２ｃを押下したとする（Ｓ１５２２）。サーバ２０においては、課金部２１５が、エリア番号が１であるエリアで飲食された全商品の合計金額を、ユーザ端末１０の数である３にて同等割した金額を算出し（Ｓ１５２３）、その金額等の情報を含んだＨＴＭＬ文書を、送信部２１７を介して全ユーザ端末１０（ユーザ端末１０Ａ、ユーザ端末１０Ｂ、ユーザ端末１０Ｃ）に送信する（Ｓ１５２４）。全ユーザ端末１０（ユーザ端末１０Ａ、ユーザ端末１０Ｂ、ユーザ端末１０Ｃ）は、表示部１３に、同等割した金額と、確認ボタン７４ａを表示する（Ｓ１５２５）。
【００５１】
その後、ユーザＡが、ユーザ端末１０Ａの表示部１３に表示されている確認ボタン７４ａを押下した場合には（Ｓ１５２６）、サーバ２０は、決済処理を行う（Ｓ１５２７）。これにより、ユーザ端末１０Ａを用いた支払いが終了する。また、ユーザＢが、ユーザ端末１０Ｂの表示部１３に表示されている確認ボタン７４ａを押下した場合には（Ｓ１５２８）、サーバ２０は、決済処理を行う（Ｓ１５２９）。これにより、ユーザ端末１０Ｂを用いた支払いが終了する。また、ユーザＣが、ユーザ端末１０Ｃの表示部１３に表示されている確認ボタン７４ａを押下した場合には（Ｓ１５３０）、サーバ２０は、決済処理を行う（Ｓ１５３１）。これにより、ユーザ端末１０Ｃを用いた支払いが終了する。
【００５２】
以上のように構成された本実施の形態に係るキャッシュレスシステム１は、飲食店に来訪した一のグループを構成する複数のユーザが所有する複数のユーザ端末１０の各々のユーザ端末１０からの接続要求を受け付ける受付手段の一例としての受信部２１１と、受信部２１１が受け付けた接続要求から、各々のユーザ端末１０を一意に特定して識別する識別手段の一例としての識別部２１２とを備えている。また、キャッシュレスシステム１は、各々のユーザ端末１０からなされた注文を受け付ける受注手段の一例としての受注部２１４と、受注部２１４が注文を受け付けた商品の代金を、各々のユーザ端末１０に対して課金する方法と、複数のユーザ端末１０に対して課金する方法と、を有する複数の選択肢の中から選択された課金方法にて課金する課金手段の一例としての課金部２１５と、を含む。
【００５３】
課金部２１５は、図７に示した会計画面７２において、端末毎会計ボタン７２ｂが押下された場合には、ユーザ端末１０（例えばユーザ端末１０Ａ）を介して注文された商品のみの合計金額を、当該ユーザ端末１０に対して課金する。
また、課金部２１５は、図７に示した会計画面７２において、同等割会計ボタン７２ｃが押下された場合には、一のエリアで飲食された全商品の合計金額を当該一のエリアに関連付けて記憶されているユーザ端末１０の数にて同等割した金額を、各ユーザ端末１０に対して課金する。また、課金部２１５は、図７に示した会計画面７２において、特殊割会計ボタン７２ｄが押下された場合には、一のエリアで飲食された全商品の合計金額をユーザが入力した割合で分割した金額を、各ユーザ端末１０に対して課金する。これら同等割課金方法及び特殊割課金方法は、受注部２１４が注文を受け付けた商品の代金を、複数のユーザ端末１０に対して課金する方法である。
このように、課金部２１５は、受注部２１４が注文を受け付けた商品の代金を、各々のユーザ端末１０に対して課金する方法の一例としての端末毎課金方法と、複数のユーザ端末１０に対して課金する方法の一例としての同等割課金方法及び特殊割課金方法と、を有する複数の選択肢の中から選択された課金方法にて課金する。
【００５４】
本実施の形態に係るキャッシュレスシステム１によれば、ユーザは、その場の状況に応じて、支払い方法を選択することができるので便利である。言い換えれば、本実施の形態に係るキャッシュレスシステム１は、ユーザに、複数の選択肢の中から課金方法を選択可能にするので、使い勝手を向上させることができる。また、ユーザ端末１０を介して注文を受け付けるので、飲食店においては、従業員が注文を伺う手間を削減することが可能となる。また、課金部２１５がユーザ端末１０に対して課金するので、ユーザ端末１０を介して、アップルペイ（登録商標）やグーグルウォレット（登録商標）等の電子決済サービスが利用されることで、飲食店においては、従業員が会計処理を行う手間を削減することが可能となる。例えば、クレジットカードや電子マネーにて会計処理を行う場合には、従業員が金額を入力する親機と、客（ユーザ）が暗証番号や認証を行う子機とによって構成されるため、従業員が、会計の都度、親機に金額を入力する必要がある。これに対して、課金部２１５がユーザ端末１０に対して課金し、客（ユーザ）がユーザ端末１０を介して、アップルペイ（登録商標）やグーグルウォレット（登録商標）等の電子決済サービスを利用することで、従業員が親機に金額を入力する手間を削減することができる。
【００５５】
また、課金部２１５は、一のグループからの注文が全て完了した後に複数の選択肢の中から課金方法を選択可能にする。つまり、図５に示したメニュー画面７１に表示された会計ボタン７１ｅが押下された場合に表示される会計画面７２に、まとめ会計ボタン７２ａと、端末毎会計ボタン７２ｂと、同等割会計ボタン７２ｃと、特殊割会計ボタン７２ｄとが表示される。それゆえ、ユーザは、飲食後の状況に応じて、支払い方法を選択することができる。
【００５６】
識別部２１２は、飲食店にて予め付与されている同一のコード情報を介して受信部２１１が複数のユーザ端末１０からの接続要求を受け付けた場合には、当該複数のユーザ端末を有する複数のユーザを一のグループとして識別する。つまり、識別部２１２は、あるエリアに対して予め発行されたコード情報を読み取ることで表示されるアドレスにアクセスしてきたユーザ端末１０が複数ある場合には、これらのユーザ端末１０を、一のグループを構成する複数のユーザが有する複数のユーザ端末１０であると把握する。このように、各エリアに対してコード情報を予め付与しておき、このコード情報を介してアクセスしてきたユーザ端末１０を一のグループとして識別することで、識別部２１２は、簡易かつ確度高くグループであることを把握することができる。そして、識別部２１２が確度高くグループであることを把握することができるので、課金部２１５が同等割課金方法及び特殊割課金方法にて課金する場合においても、精度高く適切な者に課金することができる。
【００５７】
なお、上述した実施の形態に係るキャッシュレスシステム１においては、飲食店にて飲食をし終えた後に会計処理を行う態様であるが、ユーザ端末１０にて注文を行う度に支払いを行えるようにしても良い。例えば、サーバ２０は、ユーザ端末１０の表示部１３に表示されたメニュー画面７１の注文ボタン７１ｄが押下された旨を受信した場合に、図７に例示した会計画面７２をユーザ端末１０の表示部１３に表示させても良い。そして、注文した個々の商品の代金を、一のグループを構成する複数のユーザの内のいずれかのユーザのユーザ端末１０にて支払うのか、同等割にするのか、特殊割にするのかを選択可能にすると良い。
【００５８】
また、上述した実施の形態に係るキャッシュレスシステム１においては、一のグループを構成する複数のユーザが所有する複数のユーザ端末１０の全ての表示部１３に表示されるメニュー画面７１に、会計ボタン７１ｅを表示させているが、特にかかる態様に限定されない。例えば、一のグループを構成する複数のユーザの内の一人を会計権限者として設定し、当該会計権限者が所有するユーザ端末１０（会計権限者端末）の表示部１３にのみ、メニュー画面７１に会計ボタン７１ｅを表示させるようにしても良い。そして、当該会計権限者端末においてのみ会計画面７２を表示させ、まとめ会計、端末毎会計、同等割会計、特殊割会計を選択可能にしても良い。なお、会計権限者は、一のグループを構成する複数のユーザが決定可能にしても良いし、コード情報を読み取ることで表示されるアドレスに最初にアクセスしてきたユーザ端末１０を所有する者を会計権限者（当該ユーザ端末１０を会計権限者端末）として決定しても良い。
【００５９】
また、上述した実施の形態に係るキャッシュレスシステム１においては、店舗の配膳人が注文された商品（料理や飲み物など）を配膳する態様であるが特にかかる態様に限定されない。商品の準備が整ったら、注文を行ったユーザ端末１０に対して電話をするかメッセージを送るなどして報知し、ユーザが商品を取りに来る態様であっても良い。かかる態様である場合、店舗端末３０に、ユーザ端末１０に対して電話やメッセージを送る機能を持たせても良い。
【００６０】
また、上述した実施の形態に係るキャッシュレスシステム１において、店舗端末３０は、厨房等の店舗内に配置されていることが好ましいが、サーバ２０は、店舗内に配置されていても良いし、店舗外に配置されていても良い。サーバ２０が店舗内に配置される場合には、サーバ２０と店舗端末３０とは一体であって良い。また、店舗端末３０とプリンタ４０とは一体であって良いし、サーバ２０、店舗端末３０及びプリンタ４０が一体であっても良い。
また、プリンタ４０にてコード情報を含む画像が形成された用紙をエリアに配置する態様に限定されない。例えば、エリアに設置された、液晶パネルなどの表示装置にコード情報を表示させ、表示装置に表示されたコード情報を、ユーザ端末１０にて読み取らせるようにしても良い。
【００６１】
また、上述の実施形態に係るキャッシュレスシステム１では、ユーザ端末１０が、サーバ２０から取得するＨＴＭＬ文書を解釈することでメニュー画面７１等を表示部１３に表示させる、いわゆるブラウザ形式によって本発明が実現される場合について説明したが、特にかかる態様に限定されない。ユーザ端末１０がダウンロードしたプログラムを実行することでメニュー画面７１等を表示させる、いわゆるネイティブアプリケーション形式によって実現しても良い。
【符号の説明】
【００６２】
１…キャッシュレスシステム、１０…ユーザ端末、２０…サーバ、３０…店舗端末、４０…プリンタ、２１…制御部、２１１…受信部、２１２…識別部、２１３…生成部、２１４…受注部、２１５…課金部、２１６…作成部、２１７…送信部
【図１】
2019175186.tif 000003
【図２】
2019175186.tif 000004
【図３】
2019175186.tif 000005
【図４】
2019175186.tif 000006
【図５】
2019175186.tif 000007
【図６】
2019175186.tif 000008
【図７】
2019175186.tif 000009
【図８】
2019175186.tif 000010
【図９】
2019175186.tif 000011
【図１０】
2019175186.tif 000012
【図１１】
2019175186.tif 000013
【図１２】
2019175186.tif 000014
【図１３】
2019175186.tif 000015
【図１４】
2019175186.tif 000016
【図１５−１】
2019175186.tif 000017
【図１５−２】
2019175186.tif 000018